(57)【要約】【課題】従来の複合コンテンツファイルは動画、静止画像等の素材、動画同期情報が一つのファイルで作成され、複合コンテンツファイルの作成、修正変更が困難で、また端末装置でのダウンロードに時間がかかる欠点があった。【解決手段】本発明は、一つのファイルに全て詰め込んで作成せず、動画の再生時間に従って各素材を順次表示せしめる情報と、動画ファイル及び素材ファイルとを切り離し、上記情報を有する複合コンテンツファイルを作成するようにし、また、端末装置に複合コンテンツ作成の為の特別の装置なしに複合コンテンツファイルを作成できるようにし、複合コンテンツファイルの作成、修正変更を容易とし、また端末装置では、動画の再生に従って各素材を順次表示せしめるようにし、ダウンロードの負担を分散し、再生までの時間を短縮した事を特徴とする複合コンテンツ作成システム及び複合コンテンツ表示方法。【選択図】図１
2008191704.tif 000002
【特許請求の範囲】
【請求項１】
サーバ装置にネットワークを介して接続される端末装置のモニタに動画を再生せしめる動画再生プログラムと、
上記動画の再生に従って端末装置のモニタの一画面上に静止画やテキスト文書などの素材を順次に表示せしめる動画同期プログラムとよりなり、
上記動画同期プログラムは、
上記端末装置のモニタに素材を表示せしめる素材情報とこの素材の表示を開始せしめる表示開始情報とを対に記憶したデータを複数有するデータ部と、
動画の再生情報を取得せしめる再生情報取得部と、
上記再生情報取得部により取得した動画の再生情報と上記データに記憶された表示開始情報とを比較して、上記動画の再生情報と上記表示開始情報とが一致するか否かを判定する判定部と、
一致する表示開始情報があると判定した場合には、上記表示開始情報と対に記憶した素材情報に基づき上記端末装置のモニタに対応する素材を表示せしめる表示機能部と、所望の情報ごとに上記再生情報取得部を実行せしめるタイマー部と
を有することを特徴とする複合コンテンツ表示プログラム。
【請求項２】
上記各データに記憶した素材情報に基づき、上記サーバ装置に記憶せしめた素材をそれぞれ上記端末装置に受信せしめ記憶せしめる素材先読部とを更に有することを特徴とする複合コンテンツ表示プログラム。
【請求項３】
サーバ装置にネットワークを介して接続される端末装置のモニタに動画を再生せしめる第一のステップと、
動画の再生情報を取得する第二のステップと、
上記端末装置に記憶した、上記端末装置のモニタに素材を表示せしめる素材情報とこの素材の表示を開始せしめる表示開始情報とを対に記憶した複数のデータの表示開始情報と上記取得した再生情報とを比較する第三のステップと、
上記表示開始情報と上記再生情報とが一致すると判定した場合のみ、上記表示開始情報と対に記憶した素材情報に基づき上記端末装置のモニタに対応する素材を表示せしめる第四のステップと、
所望の時間おいた後上記第二のステップを行なう第五のステップと、
上記第三のステップから上記第五のステップを必要な回数だけ繰り返す第六のステップとよりなることを特徴とする複合コンテンツ表示方法。
【請求項４】
上記端末装置に記憶した素材情報に基づき、上記サーバ装置に記憶せしめた素材をそれぞれ上記端末装置に受信せしめるステップを更に有する事を特徴とする複合コンテンツ表示方法。
【請求項５】
サーバ装置と、上記サーバ装置にネットワークを介して接続される、モニタを有する端末装置とよりなり、
上記サーバ装置は、ファイル送受信部と、記憶部と、サーバ側動画再生装置と、上記記憶部に記憶した複数の複合コンテンツ作成用ウェブページファイルと、動画及び、静止画やテキスト文書などの素材を上記端末装置のモニタの一画面上に表示せしめる複合コンテンツウェブページファイルを作成する複合コンテンツ作成装置と、上記ウェブページファイルを編集せしめるウェブページ編集装置と、上記複合コンテンツウェブページファイルに、上記端末装置のモニタに再生される動画の再生に従って複数の上記素材を順次上記端末装置のモニタに表示せしめる動画同期プログラムを記述せしめる動画同期プログラム記述装置と、上記記憶部に記憶したウェブページをネットワークを介して上記端末装置で閲覧可能ならしめるウェブサーバとよりなり、
上記端末装置は、ファイル送受信部と、端末側動画再生装置と、上記複合コンテンツウェブページファイルに記憶した動画同期プログラムを実行せしめるプログラム実行装置と、ウェブページ閲覧装置とを有し、
上記端末装置からネットワークを介して上記サーバ装置を操作し複合コンテンツウェブページファイルを作成し上記サーバ装置に記憶せしめ、上記作成した複合コンテンツウェブファイルをネットワークを介して他の端末装置で閲覧可能ならしめることを特徴とする複合コンテンツ作成システム。
【請求項６】
上記動画同期プログラムは、
上記端末装置のモニタに素材を表示せしめる素材情報とこの素材の表示を開始せしめる表示開始情報とを対に記憶したデータを複数有するデータ部と、
動画の再生情報を取得せしめる再生情報取得部と、
上記再生情報取得部により取得した動画の再生情報と上記データに記憶された表示開始情報とを比較して、上記動画の再生情報と上記表示開始情報とが一致するか否かを判定する判定部と、
一致する表示開始情報があると判定した場合には、上記表示開始情報と対に記憶した素材情報に基づき上記端末装置のモニタに対応する素材を表示せしめる表示機能部と、所望の情報ごとに上記再生情報取得部を実行せしめるタイマー部と
を有する事を特徴とする複合コンテンツ作成システム。
【請求項７】
上記各データに記憶した素材情報に基づき、上記サーバ装置に記憶せしめた素材をそれぞれ上記端末装置に受信せしめ記憶せしめる素材先読部とを更に有することを特徴とする複合コンテンツ作成システム。
【発明の詳細な説明】
【技術分野】
【０００１】
本発明は複合コンテンツ作成システム、表示方法及び表示プログラム、特に複合コンテンツ（リッチコンテンツ）ファイルの作成及び修正変更が容易で、端末装置でのダウンロードの負担を分散し、再生までの時間を短縮することのできる、複合コンテンツ作成システム、表示方法及び表示プログラムに関するものである。
【背景技術】
【０００２】
従来、家庭のパーソナルコンピュータなどの端末装置により、インターネットを介して動画、静止画又はテキスト文書などの複数の素材を同時に一画面上に表示した複合コンテンツを閲覧することができる。
【０００３】
この複合コンテンツは作成が非常に複雑であるので、企業や個人の複合コンテンツ配信希望者は、複合コンテンツ作成業者に複合コンテンツファイルの作成を依頼し、出来上がった複合コンテンツファイルを上記作成業者から受け取り、これをサーバ装置に記録せしめインターネットを通じて第三者に配信していた。
【０００４】
このような複合コンテンツ作成システムとしては例えば特許文献１に記載のものがある。
【特許文献１】特開２００３−１６９２９０号公報。
【発明の開示】
【発明が解決しようとする課題】
【０００５】
然しながら、上記のような従来の複合コンテンツファイルは、動画と複数の静止画像等の同期が動画ファイルに埋め込まれ、動画及び動画に同期して表示される複数の静止画像等がフラッシュファイルなどの一つのファイルとして作成されるので、その一つのファイルのデータ量が多く端末装置でのダウンロードに時間がかかり、端末装置での複合コンテンツの再生までの時間が非常に長くなってしまうという欠点があった。また、動画ファイルに同期情報を埋め込み、動画及び各素材を一つのファイルとして作成するので、複合コンテンツの作成が複雑で、また、一度作成した複合コンテンツを修正するには、複合コンテンツを再度作り直す必要があり、複合コンテンツ配信希望者は再度複合コンテンツ作成業者に作成を依頼せざるを得なかった。
【０００６】
また、端末装置に複合コンテンツ作成システムを有していなければ、複合コンテンツを作成する事ができず、企業や個人が手軽に複合コンテンツを作成する事ができないという欠点があった。
【０００７】
本発明は上記のような欠点を除くようにしたものである。
【課題を解決するための手段】
【０００８】
本発明の複合コンテンツ表示プログラムは、サーバ装置にネットワークを介して接続される端末装置のモニタに動画を再生せしめる動画再生プログラムと、上記動画の再生に従って端末装置のモニタの一画面上に静止画やテキスト文書などの素材を順次に表示せしめる動画同期プログラムとよりなり、上記動画同期プログラムは、上記端末装置のモニタに素材を表示せしめる素材情報とこの素材の表示を開始せしめる表示開始情報とを対に記憶したデータを複数有するデータ部と、動画の再生情報を取得せしめる再生情報取得部と、上記再生情報取得部により取得した動画の再生情報と上記データに記憶された表示開始情報とを比較して、上記動画の再生情報と上記表示開始情報とが一致するか否かを判定する判定部と、一致する表示開始情報があると判定した場合には、上記表示開始情報と対に記憶した素材情報に基づき上記端末装置のモニタに対応する素材を表示せしめる表示機能部と、所望の情報ごとに上記再生情報取得部を実行せしめるタイマー部とを有することを特徴とする。
【０００９】
上記各データに記憶した素材情報に基づき、上記サーバ装置に記憶せしめた素材をそれぞれ上記端末装置に受信せしめ記憶せしめる素材先読部とを更に有することを特徴とする。
【００１０】
本発明の複合コンテンツ表示方法は、サーバ装置にネットワークを介して接続される端末装置のモニタに動画を再生せしめる第一のステップと、動画の再生情報を取得する第二のステップと、上記端末装置に記憶した、上記端末装置のモニタに素材を表示せしめる素材情報とこの素材の表示を開始せしめる表示開始情報とを対に記憶した複数のデータの表示開始情報と上記取得した再生情報とを比較する第三のステップと、上記表示開始情報と上記再生情報とが一致すると判定した場合のみ、上記表示開始情報と対に記憶した素材情報に基づき上記端末装置のモニタに対応する素材を表示せしめる第四のステップと、所望の時間おいた後上記第二のステップを行なう第五のステップと、上記第三のステップから上記第五のステップを必要な回数だけ繰り返す第六のステップとよりなることを特徴とする。
【００１１】
上記端末装置に記憶した素材情報に基づき、上記サーバ装置に記憶せしめた素材をそれぞれ上記端末装置に受信せしめるステップを更に有する事を特徴とする。
【００１２】
本発明の複合コンテンツ作成システムは、サーバ装置と、上記サーバ装置にネットワークを介して接続される、モニタを有する端末装置とよりなり、上記サーバ装置は、ファイル送受信部と、記憶部と、サーバ側動画再生装置と、上記記憶部に記憶した複数の複合コンテンツ作成用ウェブページファイルと、動画及び、静止画やテキスト文書などの素材を上記端末装置のモニタの一画面上に表示せしめる複合コンテンツウェブページファイルを作成する複合コンテンツ作成装置と、上記ウェブページファイルを編集せしめるウェブページ編集装置と、上記複合コンテンツウェブページファイルに、上記端末装置のモニタに再生される動画の再生に従って複数の上記素材を順次上記端末装置のモニタに表示せしめる動画同期プログラムを記述せしめる動画同期プログラム記述装置と、上記記憶部に記憶したウェブページをネットワークを介して上記端末装置で閲覧可能ならしめるウェブサーバとよりなり、上記端末装置は、ファイル送受信部と、端末側動画再生装置と、上記複合コンテンツウェブページファイルに記憶した動画同期プログラムを実行せしめるプログラム実行装置と、ウェブページ閲覧装置とを有し、上記端末装置からネットワークを介して上記サーバ装置を操作し複合コンテンツウェブページファイルを作成し上記サーバ装置に記憶せしめ、上記作成した複合コンテンツウェブファイルをネットワークを介して他の端末装置で閲覧可能ならしめることを特徴とする。
【００１３】
上記動画同期プログラムは、上記端末装置のモニタに素材を表示せしめる素材情報とこの素材の表示を開始せしめる表示開始情報とを対に記憶したデータを複数有するデータ部と、動画の再生情報を取得せしめる再生情報取得部と、上記再生情報取得部により取得した動画の再生情報と上記データに記憶された表示開始情報とを比較して、上記動画の再生情報と上記表示開始情報とが一致するか否かを判定する判定部と、一致する表示開始情報があると判定した場合には、上記表示開始情報と対に記憶した素材情報に基づき上記端末装置のモニタに対応する素材を表示せしめる表示機能部と、所望の情報ごとに上記再生情報取得部を実行せしめるタイマー部とを有する事を特徴とする。
【００１４】
上記各データに記憶した素材情報に基づき、上記サーバ装置に記憶せしめた素材をそれぞれ上記端末装置に受信せしめ記憶せしめる素材先読部とを更に有することを特徴とする。
【発明の効果】
【００１５】
本発明の複合コンテンツにおいては、動画に同期して表示される複数の静止画像等を一つのファイルで作成することなく、動画ファイル及び各素材ファイルを切り離して、複合コンテンツを表示せしめるＨＴＭＬファイルなどの複合コンテンツウェブページファイルに、動画を表示せしめるプログラムを記述し、また、このプログラムと独立して、動画の再生の際に取得される動画再生時間に従って、複合コンテンツファイルとは異なる場所に記憶せしめた複数の静止画像等を個別に呼び出し、表示させるようにした動画同期プログラムを記述したので、必要な時のみ各素材を呼び出して表示することができ、端末装置へのダウンロードの負担を分散し、複合コンテンツの再生までの時間を短縮することができるという大きな利益がある。また、動画ファイルと各素材ファイルを複合コンテンツウェブページファイルと切り離したので、また、動画ファイルや各素材ファイルに同期情報を埋め込むなどの特別な加工も不要であるので、各素材をそのまま利用でき、複合コンテンツファイルの作成、修正変更が容易である。また、本発明の複合コンテンツ作成システムによれば、端末装置に複合コンテンツ作成システムを有していなくても、インターネットを介してサーバ装置にアクセスし、複合コンテンツを作成することができる。
【発明を実施するための最良の形態】
【００１６】
以下図面によって本発明の実施例を説明する。
【実施例１】
【００１７】
本発明の複合コンテンツ作成システムは、図１及び図２に示すように、サーバ装置１と、上記サーバ装置１とインターネットなどのネットワーク２を介して接続される企業や個人などの複合コンテンツ作成者が所有するパーソナルコンピュータなどのモニタ３を有する端末装置４とよりなり、上記サーバ装置１は、動画ファイル、複数のスライドからなるパワーポイントファイルやイメージファイルなどの静止画ファイルやテキスト文書ファイルなどの各素材ファイル（データ）やＨＴＭＬファイルなどのウェブページファイル（データ）等を記憶せしめる記憶部５と、上記端末装置４から上記ネットワーク２を介して上記素材ファイル等を上記サーバ装置１に受信（アップロード）せしめる受信部６と、上記サーバ装置１に記憶した上記各素材ファイルやウェブページファイル等を上記ネットワーク２を介して上記端末装置４に送信（ダウンロード）せしめる送信部７と、上記受信部６から入力された各種フォーマットの（ＭＰＧ，ＭＯＶ，ＡＶＩ）動画ファイルをフラッシュビデオ（ＦＬＶ）などの所定フォーマットの動画ファイルに変換する変換装置８と、上記記憶部５に記憶したフラッシュファイル等を端末装置４で再生するためのサーバ側動画再生装置９と、上記記憶部５に記憶した、複合コンテンツ作成のための作業画面などを端末装置４に表示せしめる複数の複合コンテンツ作成用ウェブページファイルと、上記複合コンテンツ作成用ウェブページファイルを用いて、動画、静止画又はテキスト文書などの複数の素材を上記モニタ４の一画面上に再生・表示せしめる複合コンテンツウェブページファイルＧを作成する複合コンテンツ作成装置１０と、上記複合コンテンツ作成装置１０に設けた、上記ウェブページファイルを編集するウェブページ編集装置と、上記複合コンテンツ作成装置１０に設けた、上記複合コンテンツウェブページファイルＧに、上記端末装置４のモニタ３に再生される動画の再生経過に応じて上記端末装置４のモニタ３に上記素材を順次表示せしめる動画同期プログラム６８をジャバスクリプトなどにより記述せしめる動画同期プログラム記述装置と、上記各素材ファイルや上記ウェブページ編集装置により編集されたウェブページファイルなどを上記記憶部５に記憶せしめる登録部１１と、上記ネットワーク２を介して閲覧可能なポータルサイト用ファイルを記憶したポータル部１２と、上記記憶部５に記憶したウェブページをネットワークを介して上記端末装置４のモニタ３に閲覧可能ならしめるウェブサーバ１３と、上記サーバ装置１の運用管理等を行なう運用管理部１４と、顧客管理等を行なう顧客管理部１５と、顧客管理用データベース１６とよりなる。
【００１８】
また、上記端末装置１はファイルのアップロード及びダウンロード可能なファイル送受信装置と、フラッシュファイル等を再生するためのフラッシュプレーヤーなどの、動画再生時間出力部を有する端末側動画再生装置と、複合コンテンツウェブページファイルに記述した上記動画同期プログラムを実行せしめるための、上記出力部から出された動画再生時間データを入力する入力部を有するジャバスクリプト実行装置などのプログラム実行装置と、パワーポイント、静止画画像やテキスト文書などを表示せしめる表示装置と、インターネット上のウェブページを閲覧可能ならしめるウェブブラウザなどのウェブ閲覧装置とを有する。
【００１９】
また、上記動画同期プログラム６８は、図２に示すように、上記端末装置４のモニタ３に表示せしめる素材ファイルを記憶した場所のパス名などの素材情報とこの素材の表示を開始せしめる表示開始時間とを対に記憶したデータを複数有するデータ部６９と、上記各データに記憶した素材情報に基づき、上記サーバ装置１に記憶せしめた素材をそれぞれ上記端末装置４にアップロードし記憶せしめる素材ファイル先読プログラム部７０と、動画の再生時間を取得せしめる再生時間取得プログラム部７１と、上記再生時間取得プログラム部７１により取得した動画の再生時間と上記データ部６９に記憶された各表示開始時間とを比較して、上記動画の再生時間と上記表示開始時間とが一致するか否かを判定する判定プログラム部７２と、一致する表示開始時間があると判定した場合には、上記表示開始時間と対に記憶した素材情報に基づき上記端末装置４のモニタ３に表示された複合コンテンツの例えばパワーポイント表示部に上記端末装置４に記憶した素材を表示せしめる表示プログラム部７３と、所望の時間ごとに上記再生時間取得プログラム部７１を実行せしめるタイマープログラム部７４とを有する。なお、動画の再生時間とは動画の始まりからの時間をいう。また、動画の再生時間と上記表示開始時間との一致とは、ある桁の範囲で一致すればよく、また、一定の時間の範囲内にあれば一致とみなす事ができ、また、一定の条件を共に満たす場合に一致と判断する場合も含まれる。また、上記データ部６９や判定プログラム部７２などを複合コンテンツファイルに直接書き込む代わりに、上記複合コンテンツファイルとは別ファイルにし、これらのファイルにアクセスして読み込み、実行できるようなプログラムを記述せしめてもよい。また、上記動画の再生時間を取得する代わりに、動画のインデックス情報などの動画情報を得て、また、上記素材情報と対に記憶せしめる表示開始時間の代わりに上記動画のインデックスなどの表示開始情報を記憶せしめ、上記動画から取得した動画情報と上記対に記憶せしめた表示開始情報とを比較してもよい。なお、上記取得した動画情報と対に記憶した表示開始情報との一致とは完全一致の他、一定の条件を共に満たした場合に一致すると判断してもよい。
【００２０】
上記動画同期プログラム６８においては、図３に示すように、上記端末装置４のモニタ３に複合コンテンツを表示せしめれば、上記プログラム実行装置により上記動画同期プログラム６８が実行され、上記データ部６９に記憶された各素材情報に基づき、上記サーバ装置１に記憶された素材ファイルがそれぞれ上記端末装置４にアップロードされ記憶され（ステップ１０１）、上記端末装置４を操作して動画の再生を指示せしめれば、上記複合コンテンツウェブファイルに記録されたフラッシュファイルなどを再生するための動画再生プログラムが実行され、上記サーバ側動画再生装置及び端末側動画再生装置により上記記憶部に記憶した動画ファイルがストリーミング方式などにより、上記端末装置で動画ファイルデータが受信されながら同時に動画が再生され（ステップ１０２）、また、動画の再生開始と同時に上記時間取得プログラム部７１により、上記端末側動画再生装置に設けた動画再生時間出力部から出力された再生時間を上記プログラム実行装置により読み取り（ステップ１０３）、上記判定プログラム部７２により、上記取得した再生時間と上記データ部６９に記憶された各表示開始時間とを照らし合わせて一致するか否かを判定し（ステップ１０４）、一致する場合には表示プログラム部７３により上記表示開始時間と対で記憶した素材情報に基づき上記端末装置４に記憶せしめた素材をモニタ３に表示された複合コンテンツのパワーポイント表示部に表示せしめ（ステップ１０５）、上記タイマープログラム部７４により例えば１００ｍｓなど設定された時間経過後に（ステップ１０６）、再び、上記時間取得プログラム部７１により、上記端末側動画再生装置に設けた動画再生時間出力部から出力された再生時間を上記プログラム実行装置により読み取り（ステップ１０３）、また、上記ステップ１０４において、一致しないと判断した場合には、上記ステップ１０５を行なうことなしに、上記ステップ１０６、上記ステップ１０３を行い、以下、同様にステップ１０３からステップ１０６を動画の再生が終わるまで上記プログラムを実行せしめ、順次、モニタ３のパワーポイント表示部分に所望の時間経過ごとに各素材が切り替え表示されるようにする。
【００２１】
なお、上記素材ファイル先読プログラム部７０及びステップ１０１を省略せしめ、上記ステップ１０５ごとに、必要な素材ファイルをサーバ装置１からそれぞれ端末装置４にアップロードせしめて、表示せしめてもよい。
【００２２】
また、上記サーバ装置１の記憶部５に記録した複数の複合コンテンツ作成用ウェブページファイルは、図４に示すように、上記端末装置４のモニタ３に初期画面を表示せしめるための複合コンテンツ作成用初期画面ウェブページファイルＡと、上記端末装置４に記憶せしめた各素材ファイルのアップロードの作業画面を表示せしめる素材アップロード作業初期画面ウェブページファイルＢと、ストーリ設定画面等を表示せしめるプロジェクト設定初期画面ウェブページファイルＣ及び複合コンテンツ画面構成ウェブページファイルＤと、上記端末装置４から各素材ファイルをそれぞれアップロードせしめるための画面を表示せしめる複数のアップロード用画面ウェブページファイルＥと、上記サーバ装置１に記憶した各素材ファイル情報画面を表示せしめる複数の素材ファイル情報画面ウェブページファイルＦ（ｆ１〜ｆ４）等とからなる。
【００２３】
また、上記複合コンテンツ作成用初期画面ウェブページファイルＡにより上記端末装置４のモニタ３に表示される複合コンテンツ作成用初期画面１７は、図５に示すように、左側画面部分に表示される初期メニュー画面１８と、右側画面部分に表示される作業初期画面１９とよりなり、上記初期メニュー画面１８は、上記素材アップロード作業初期画面ウェブページファイルＢにアクセスせしめる素材アップロードボタン２０と、上記プロジェクト設定初期画面ウェブページファイルＣにアクセスせしめるプロジェクトボタン２１と、ポータルサイトにアクセスせしめるポータルボタン２２と、各種設定を行なうための設定画面ファイルにアクセスせしめるユーザ設定ボタン２３と、上記サーバ装置１からログアウトするためのログアウトボタン６６などの複数のボタンを有し、また、上記作業初期画面１９には、例えば向も表示させないようにする。
【００２４】
なお、上記作業初期画面１９にはＵＲＬ等を表示せしめるようにしてもよい。
【００２５】
また、上記素材アップロード作業初期画面ウェブページファイルＢにより上記端末装置４のモニタ３に表示される素材アップロード作業画面２４は、図６に示すように、左側画面部分に表示される素材アップロードメニュー画面２５と、右側画面部分に表示される作業初期画面２６とよりなり、上記素材アップロードメニュー画面２５は、上記初期メニュー画面１８におけるボタン項目のほかに更に上記素材アップロードボタンの下にサブメニューとして、ビデオボタン２７、パワーポイントボタン２８、イメージボタン２９、関連資料ボタン３０を有し、上記各ボタンをクリックなど操作することにより、それぞれ上記サーバ装置１に記録した動画ファイルアップロード作業画面ウェブページファイルｂ１、パワーポイントアップロード作業画面ウェブページファイルｂ２、イメージファイルアップロード作業画面ウェブページファイルｂ３、関連資料ファイルアップロード作業画面ウェブページファイルｂ４などの各素材ファイルアップロード用の作業画面ウェブページファイルにアクセスし、上記端末装置４のモニタ３にそれぞれ動画ファイルアップロード作業画面、パワーポイントアップロード作業画面、イメージファイルアップロード作業画面、関連資料ファイルアップロード作業画面等の各作業画面を表示せしめる。
【００２６】
また、上記作業初期画面２６には上記動画ファイルアップロード画面を表示せしめる。
【００２７】
なお、上記素材ファイルアップロード用の作業画面ウェブページファイルｂ１〜ｂ４により表示される画面の左側画面部分には上記素材アップロードメニュー画面２５と同一項目のボタンをそれぞれ設ける。
【００２８】
上記作業初期画面２６及び上記動画ファイルアップロード作業画面ウェブページファイルｂ１により表示される右側画面部分の動画アップロード作業画面は、図６に示すように、アップロードボタン３１と動画（ビデオ）情報表示部３２とを有し、上記アップロードボタン３１をクリックなど操作せしめれば、上記サーバ装置１に記録された動画アップロード用画面ウェブページファイルｅ１にアクセスし、図７に示すように、上記端末装置４のモニタ３に別ウインドウとして、動画タイトル名記入欄と、上記端末装置４に記憶された動画ファイルのファイルパス記入欄と、アップロードボタンと、キャンセルボタンとを有する動画アップロード用画面３３が表示され、この動画アップロード用画面３３により、動画ファイルと動画タイトル名とを上記サーバ装置１にアップロードし記憶せしめる。
【００２９】
なお、上記動画ファイルアップロード作業画面ウェブページファイルｂ１には、上記サーバ装置１に動画ファイル及び動画タイトル名がアップロードされ記憶部５に記憶される度に、上記複合コンテンツ作成装置１０のウェブページ編集装置により上記動画ファイルのタイトル名、再生時間、データサイズ、登録日時等の動画ファイル情報が書き込まれ、上記端末装置４のモニタ３には図８に示すように、上記動画情報表示部３２に上記動画ファイル情報が表示されるようになる。
【００３０】
また、上記サーバ装置１に記憶した動画ファイル情報を表示せしめる上記動画情報画面ファイルｆ１は、上記サーバ装置１に動画ファイル等がアップロードされ記憶部５に記憶される度に、上記ウェブページ編集装置により上記動画ファイル情報が書き込まれる。
【００３１】
また、上記パワーポイントアップロード作業画面ウェブページファイルｂ２により表示される右側画面部分のアップロード作業画面３４は、図９に示すように、アップロードボタン３５とパワーポイント情報表示部３６とを有し、上記と同様にアップロードボタン３５をクリックなど操作せしめれば、上記サーバ装置１に記録したパワーポイントアップロード用画面ウェブページファイルｅ２にアクセスし、上記端末装置４のモニタ３に別ウインドウとして、パワーポイントタイトル記入欄と、上記端末装置４に記憶されたパワーポイントファイルのファイルパス記入欄と、アップロードボタンと、キャンセルボタンとを有するパワーポイントアップロード用画面を表示せしめ、このパワーポイントアップロード用画面により、パワーポイントファイルとパワーポイントファイル名とを上記サーバ装置１にアップロードし記憶せしめる。
【００３２】
なお、上記動画ファイルアップロード作業画面ウェブページファイルｂ１と同様に、上記パワーポイントアップロード作業画面ウェブページファイルｂ２は、上記サーバ装置１にパワーポイントファイル及びファイル名がアップロードされ上記記憶部５に記憶される度に、上記ウェブページ編集装置により上記パワーポイントファイルのタイトル名、スライド数、データサイズ、登録日時等のパワーポイントファイル情報が書き込まれ、上記端末装置４のモニタ３のパワーポイント情報表示部３６に上記パワーポイントファイル情報が表示されるようになる。
【００３３】
また、上記サーバ装置１に記憶したパワーポイントファイル情報を表示せしめる上記パワーポイント情報画面ファイルｆ２は、上記サーバ装置１にパワーポイントファイルがアップロードされる度に、上記ウェブページ編集装置により上記パワーポイントファイル情報が書き込まれる。
【００３４】
また、イメージアップロード作業画面ウェブページファイルｂ３、関連資料アップロード作業画面ウェブページファイルｂ４、イメージアップロード用画面ウェブページファイルｅ３、関連資料アップロード用画面ウェブページファイルｅ４、イメージファイル情報画面ウェブページファイルｆ３、関連資料ファイル情報画面ウェブページファイルｆ４も、上記と同様に構成される。
【００３５】
また、上記プロジェクト設定初期画面ウェブページファイルＣにより上記端末装置４のモニタ３に表示されるプロジェクト設定初期画面は、図１０に示すように、左側画面部分に表示されるプロジェクトメニュー画面３７と、右側画面部分に表示される作業初期画面３８とよりなり、上記プロジェクト作成メニュー画面３７は、上記初期メニュー画面１８におけるボタン項目のほかに更に上記プロジェクトボタンの下にサブメニューとして、プロジェクト設定ボタン３９、素材選択ボタン４０、ストーリ設定ボタン４１、プレビューボタン４２、公開ボタン６７を有し、上記プロジェクト設定ボタン３９、素材選択ボタン４０、ストーリ設定ボタン４１の各ボタンをクリックなど操作することにより、それぞれ上記サーバ装置１に記録したプロジェクト設定作業画面ウェブページファイルｃ１、素材選択作業画面ウェブページファイルｃ２、ストーリ設定作業画面ウェブページファイルｃ３などの作業画面ウェブページファイルにアクセスし、上記端末装置４のモニタ３にそれぞれプロジェクト設定作業画面、素材選択作業画面、ストーリ設定作業画面の各作業画面が表示されるようになる。
【００３６】
また、上記プレビューボタン４２をクリックなど操作することにより上記サーバ装置に記憶した複合コンテンツウェブページファイルにアクセスし、上記端末装置４のモニタ３に上記複合コンテンツのプレビューを表示せしめ、また、上記公開ボタン６７により上記複合コンテンツが一般公開されるようになる。
【００３７】
また、上記作業初期画面３８には上記プロジェクト設定作業画面を表示せしめる。
【００３８】
なお、上記各作業画面ウェブページファイルｃ１〜ｃ３により表示される画面の左側画面部分には上記プロジェクトメニュー画面３７と同一項目のボタンをそれぞれ設ける。
【００３９】
上記作業初期画面３８及び上記プロジェクト作成作業画面ウェブページファイルｃ１により表示される右側画面部分のプロジェクト作成作業画面は、図１０に示すように、複合コンテンツの名称を記入せしめるプロジェクトタイトル記入欄４３と、図１１に示すように、上記サーバ装置１に記憶した複数の複合コンテンツの素材配置構成が表示された複合コンテンツテンプレートの中から１つの複合コンテンツテンプレートを選択する選択部４４と、上記テンプレートの選択により素材配置構成が表示されるテンプレート情報表示部４５と、作成ボタン４６とを有し、上記選択部４４から１のテンプレートを選択し、複合コンテンツ名を上記記入欄４３に記入し、上記作成ボタン４６をクリックせしめれば、上記複合コンテンツ作成装置により、素材配置構成情報とコンテンツ名情報を有する複合コンテンツウェブページファイルが作成され、上記サーバ装置１に記憶される。
【００４０】
また、上記素材選択作業画面ウェブページファイルｃ２により表示される右側画面部分の素材選択画面４７は、例えば、選択された複合コンテンツテンプレートが動画とパワーポイントと関連資料で構成される場合には、図１２に示すように、動画ファイル表示部と、パワーポイントファイル表示部と、関連ファイル表示部等の各素材ファイル表示部４８と上記各表示部に対応した素材選択ボタン４９を有し、上記各表示部に対応する素材選択ボタン４９をそれぞれクリックすれば、上記サーバ装置１に記録した上記動画情報画面ウェブページファイルｆ１、パワーポイント情報画面ウェブページファイルｆ２、関連資料ファイル情報画面ウェブページファイルｆ４にそれぞれアクセスし、例えば、ビデオファイル表示部４８における素材選択ボタン４９をクリックせしめれば、上記動画ファイル情報画面ウェブページファイルｆ１にアクセスし、図１３に示すように、上記端末装置４のモニタ３に上記サーバ装置１に記憶した各動画ファイルの情報と選択ボタンとを有する動画情報画面５０が別ウインドウとして表示され、上記動画情報画面５０に表示された１又は複数の動画ファイルから１の動画ファイルを選択せしめれば、上記複合コンテンツ作成装置により、上記複合コンテンツウェブファイルに上記動画ファイルが関連づけられ、上記サーバ装置に記憶される。
【００４１】
また、上記素材作業画面ウェブページファイルｃ２は、上記ファイル情報画面で各素材ファイルが選択される度に、上記ウェブページ編集装置により更新され、図１４に示すように、各選択された素材が素材ファイル表示部４８に表示されるようになる。
【００４２】
なお、上記動画ファイル及びパワーポイントファイルで選択されるファイルは１つである。
【００４３】
また、上記素材作業画面ウェブページファイルが更新される度に、上記複合コンテンツウェブページファイルは、上記ウェブページ編集装置により、上記選択された各素材ファイルの記憶が更新され、上記サーバ装置に記憶される。
【００４４】
なお、選択された複合コンテンツテンプレートが動画とイメージと関連資料で構成される場合には、上記素材選択画面４７のパワーポイントファイル表示部はイメージファイル表示部となり、上記イメージファイル表示部の素材選択ボタンをクリックせしめることにより、イメージファイル情報画面ウェブページファイルｆ３にアクセスされ、イメージファイル情報画面が表示されるようになる。
【００４５】
また、上記ストーリ設定作業画面ウェブページファイルｃ３により表示される右側画面部分のストーリ設定作業画面５１は、図１５に示すように、上記複合コンテンツウェブページファイルに記憶された動画ファイルを表示せしめる動画表示部５２と、ストーリ設定表示部５３と、ストーリ情報追加用の追加ボタン５４とよりなり、上記追加ボタン５４をクリックせしめれば、ストーリ設定画面ファイルｇにアクセスし、図１６に示すように、上記素材選択作業画面ウェブページファイルｃ２に記憶したパワーポイントのスライド番号記入欄５５と、上記パワーポイントのスライドを表示せしめる開始時間を記入する時間記入欄５６と、インデックス名記入欄５７と、上記スライドの解説記入欄５８を有するストーリ設定画面５９を別ウインドウとして表示され、上記ストーリ設定画面５９に、動画に同期して表示せしめたいパワーポイントのスライドの番号と、表示開始時間と、インデックス名と、必要な解説との第一のストーリ情報をそれぞれ記入し、上記サーバ装置１に上記情報をアップロードせしめれば、上記複合コンテンツ作成装置によりストーリファイルが作成され、このストーリファイルに上記パワーポイントのスライドと解説を記憶した場所のパス名などの素材情報と上記スライドと解説の表示を開始する表示開始時間とよりなる第一のストーリ情報が記述され、上記サーバ装置１に記憶され、また、更に上記ストーリ設定作業画面５１の追加ボタン５４をクリックして、上記ストーリ設定画面５９を表示せしめて、他のパワーポイントのスライドの番号と、表示開始時間と、インデックス名と、必要な解説との第二のストーリ情報をそれぞれ記入し、上記サーバ装置１に上記情報をアップロードせしめれば、上記複合コンテンツ作成装置により、上記ストーリファイルに、他のパワーポイントのスライドと解説を記憶した場所のパス名などの素材情報と上記スライドと解説の表示を開始する表示開始時間とよりなる上記第二のストーリ情報が記述され、上記サーバ装置１に記憶され、同様に上記追加ボタン５４をクリックし、上記ストーリ設定画面５９に第三ストーリ情報、第四ストーリ情報を順次アップロードせしめれば、上記ストーリファイルにプログラムが記述され、上記端末装置のモニタに表示せしめる素材情報とこの素材の表示を開始せしめる表示開始時間とを対に記憶したデータを複数有するデータ部を有するストーリファイルが作成され、サーバ装置１に記憶されるようになる。
【００４６】
また、上記ストーリ設定作業画面ファイルｃ３は、上記ストーリ設定画面ファイルｇにストーリ情報を記入し、上記ストーリ情報を上記サーバ装置１にアップロードするごとに、図１７に示すように、上記各ストーリ情報が上から順に上記ストーリ設定作業画面５１のストーリ表示部５３に表示されるようになる。
【００４７】
なお、上記パワーポイントと解説を分け、それぞれの素材情報と表示開始時間とを対にしてストーリファイルに記憶せしめてもよく、また、関連資料においても、上記と同様に、関連資料の素材情報と表示開始時間を対にしてストーリファイルに記憶せしめてもよい。
【００４８】
また、公開ボタンをクリックすることにより、上記ストーリファイルに記述されたストーリ情報が上記動画同期プログラム記述装置により、上記複合コンテンツウェブページファイルに例えばジャバスクリプトにより記述されるようになる。なお、上記ストーリファイルに上記ストーリ情報が記述されると同時に、上記複合コンテンツウェブページファイルに上記ストーリ情報を例えばジャバスクリプトにより記述してもよく、またストーリファイルを省略して直接複合コンテンツウェブページファイルに上記ストーリ情報を記述せしめてもよい。
【００４９】
本発明の複合コンテンツ作成システムは上記のような構成であるから、複合コンテンツ作成者は複合コンテンツの作成に必要な動画ファイル、パワーポイントファイルや画像ファイルなどの静止画ファイル、テキスト文書ファイルや関連資料ファイルを端末装置４に記憶せしめる。
【００５０】
次に、複合コンテンツ作成者は上記端末装置４を用いてネットワーク２を介して例えばサーバ装置１に記憶されたポータルサイトファイルにアクセスし、上記端末装置４のモニター３にポータルサイトを表示せしめ、そのポータルサイトから複合コンテンツ作成用初期画面ウェブページファイルＡにアクセスし、図５に示すように、複合コンテンツ作成用初期画面１７を端末装置４のモニタ３に表示せしめる。
【００５１】
次に、上記複合コンテンツ作成初期画面１７の初期メニュー画面１８の素材アップロードボタン２０をクリックせしめ、図６に示すように、上記端末装置４のモニタ３上に素材アップロード作業画面２４を表示せしめ、作業初期画面２６のアップロードボタン３１をクリックし、図７に示す動画アップロード画面３３を上記モニタ１上に別ウインドウとして表示せしめ、上記端末装置４に記憶された動画ファイルのファイルパスを上記動画アップロード画面３３の動画ファイルパス記入欄に記入せしめ、上記タイトル名欄にタイトルを記入せしめ、アップロードボタンをクリックして、上記サーバ装置１に上記動画ファイルをアップロードせしめ、上記動画ファイル及び動画情報を上記記憶部５に記憶せしめる。
【００５２】
なお、上記動画ファイルのアップロードが完了すれば、上記動画アップロード画面３３が画面に表示されないようになり、また、上記端末装置４のモニター３には、図６に示すように、動画情報表示部３２に上記アップロードした動画ファイルの情報が書き込まれた作業画面が表示されるようになる。
【００５３】
次に必要があれば、上記端末装置４に記憶された他の動画ファイルを更に上記サーバ装置１にアップロードせしめる。
【００５４】
同様にして、パワーポイントファイル、イメージファイル、関連資料ファイルを順次上記サーバ装置１にアップロードせしめる。
【００５５】
なお、サーバ装置１に記憶された素材ファイルを削除したい場合には、各作業画面に表示された素材ファイルに対応する削除ボタンをクリックすれば、上記サーバ装置１から素材ファイルが削除される。
【００５６】
次に、複合コンテンツの動画、パワーポイント又はイメージの静止画、テキスト文書の配置構成等を決定するために、上記素材アップロードメニュー画面２５のプロジェクトボタン２１をクリックせしめ、図１０に示すように、上記端末装置４のモニタ３上に作業初期画面３８を表示せしめる。
【００５７】
上記作業初期画面３８に、作成しようとする複合コンテンツの名称となるプロジェクトタイトル名と、複数のテンプレートの中から１つの、例えば動画とパワーポイントと関連資料から構成されるテンプレートを選択し、作成ボタン４６をクリックし、上記サーバ装置１に記憶せしめる。
【００５８】
次に、上記プロジェクトメニュー画面３７の素材選択ボタン４０をクリックし、図１２に示すように素材選択画面４７を表示せしめ、上記サーバ装置１に記憶した動画ファイル、パワーポイントファイル、関連資料ファイルの中から複合コンテンツの作成に必要な１つの動画ファイルと、１つのパワーポイントファイルと、必要数の関連資料ファイルをそれぞれ選択せしめる。
【００５９】
なお、動画とイメージと関連資料から構成される複合コンテンツテンプレートを選択した場合には、上記サーバ装置１に記憶したイメージファイルの中から複合コンテンツの作成に必要な数のイメージファイルを選択するようにする。
【００６０】
次に、上記プロジェクトメニュー画面３７のストーリ設定ボタン４１をクリックし、図１５に示すように、ストーリ設定作業画面５１を表示せしめ、動画の再生に合わせて、複数のストーリ情報を順番に登録せしめる。なお、追加ボタン５４をクリックした時に動画の再生が中断されるようにしてもよく、自発的に動画の再生を中断できるようにしてもよい。
【００６１】
なお、各ストーリ情報に対応する削除ボタンをクリックせしめれば、そのストーリ情報は削除される。
【００６２】
上記作業が全て完了した後に、プレビューボタンをクリックし、複合コンテンツを上記端末装置４のモニタ３に表示せしめ、修正がある場合には、上記メニュー画面から必要なボタンをクリックして、削除や編集、追加を行なう。
【００６３】
また、修正がない場合や修正を終えた場合には、上記プロジェクトメニュー画面３７の公開ボタン６７をクリックして、上記複合コンテンツを一般に公開せしめる。
【００６４】
これにより、第三者はネットワーク２を介して他の端末装置４により、上記複合コンテンツウェブページファイルにアクセスすることができ、図１８に示すように、上記端末装置４のモニタ３に、動画表示部６０と、パワーポイント表示部６１と、解説を表示せしめるテキスト文書表示部６２と、関連資料表示部６３と、インデックス表示部６４とよりなる複合コンテンツ６５を表示せしめることができ、上記端末装置により動画が再生せしめれば、上記複合コンテンツウェブページファイルに記載されたストーリ情報に従って時間の経過に従って、パワーポイントの各スライド画面や解説が端末装置又はサーバ装置から順次呼び出され、上記各表示部に順次表示されるようになる。
【００６５】
本発明の複合コンテンツにおいては、動画に同期して表示される複数の静止画像等を一つのファイルで作成することなく、複合コンテンツを表示せしめる複合コンテンツウェブページファイルに、動画に同期して表示される複数の静止画像等を個別に呼び出し、表示させるようにした動画同期プログラムを記述したので、複合コンテンツの再生に時間がかからないという大きな利益がある。また、本発明の複合コンテンツ作成システムによれば、端末装置に複合コンテンツ作成システムを有していなくても、インターネットを介してサーバ装置にアクセスし、複合コンテンツを作成することができる。
【図面の簡単な説明】
【００６６】
【図１】本発明の複合コンテンツ作成システムの構成図である。
【図２】本発明の動画同期プログラムの説明図である。
【図３】本発明の動画同期プログラムの処理手順を説明するフローチャートである。
【図４】本発明の複合コンテンツ作成システムの記憶部に記憶されたウェブページファイルを示す説明図である。
【図５】本発明の複合コンテンツ作成システムで用いるウェブページの説明図である。
【図６】本発明の複合コンテンツ作成システムで用いるウェブページの説明図である。
【図７】本発明の複合コンテンツ作成システムで用いるウェブページの説明図である。
【図８】本発明の複合コンテンツ作成システムで用いるウェブページの説明図である。
【図９】本発明の複合コンテンツ作成システムで用いるウェブページの説明図である。
【図１０】本発明の複合コンテンツ作成システムで用いるウェブページの説明図である。
【図１１】本発明の複合コンテンツ作成システムで用いるウェブページの説明図である。
【図１２】本発明の複合コンテンツ作成システムで用いるウェブページの説明図である。
【図１３】本発明の複合コンテンツ作成システムで用いるウェブページの説明図である。
【図１４】本発明の複合コンテンツ作成システムで用いるウェブページの説明図である。
【図１５】本発明の複合コンテンツ作成システムで用いるウェブページの説明図である。
【図１６】本発明の複合コンテンツ作成システムで用いるウェブページの説明図である。
【図１７】本発明の複合コンテンツ作成システムで用いるウェブページの説明図である。
【図１８】本発明の複合コンテンツ作成システムで作成した複合コンテンツの説明図である。
【符号の説明】
【００６７】
１  サーバ装置
２  ネットワーク
３  モニタ
４  端末装置
５  記憶部
６  受信部
７  送信部
８  変換装置
９  サーバ側動画再生装置
１０  複合コンテンツ作成装置
１１  登録部
１２  ポータル部
１３  ウェブサーバ
１４  運用管理部
１５  顧客管理部
１６  データベース
１７  複合コンテンツ作成用初期画面
１８  初期メニュー画面
１９  作業初期画面
２０  素材アップロードボタン
２１  プロジェクトボタン
２２  ポータルボタン
２３  ユーザ設定ボタン
２４  素材アップロード作業画面
２５  素材アップロードメニュー画面
２６  作業初期画面
２７  ビデオボタン
２８  パワーポイントボタン
２９  イメージボタン
３０  関連資料ボタン
３１  アップロードボタン
３２  動画情報表示部
３３  動画アップロード用画面
３４  パワーポイントアップロード作業画面
３５  アップロードボタン
３６  パワーポイント情報表示部
３７  プロジェクトメニュー画面
３８  作業初期画面
３９  プロジェクト設定ボタン
４０  素材選択ボタン
４１  ストーリ設定ボタン
４２  プレビューボタン
４３  プロジェクトタイトル記入欄
４４  選択部
４５  テンプレート情報表示部
４６  作成ボタン
４７  素材選択画面
４８  素材ファイル表示部
４９  選択ボタン
５０  動画情報画面
５１  ストーリ設定作業画面
５２  動画表示部
５３  ストーリ設定表示部
５４  追加ボタン
５５  スライド番号記入欄
５６  時間記入欄
５７  インデックス命記入欄
５８  解説記入欄
５９  ストーリ設定画面
６０  動画表示部
６１  パワーポイント表示部
６２  テキスト文書表示部
６３  関連資料表示部
６４  インデックス表示部
６５  複合コンテンツ
６６  ログアウトボタン
６７  公開ボタン
６８  動画同期プログラム
６９  データ部
７０  先読プログラム部
７１  再生時間取得プログラム部
７２  判定プログラム部
７３  表示プログラム部
７４  タイマープログラム部
【図１】
2008191704.tif 000003
【図２】
2008191704.tif 000004
【図３】
2008191704.tif 000005
【図４】
2008191704.tif 000006
【図５】
2008191704.tif 000007
【図６】
2008191704.tif 000008
【図７】
2008191704.tif 000009
【図８】
2008191704.tif 000010
【図９】
2008191704.tif 000011
【図１０】
2008191704.tif 000012
【図１１】
2008191704.tif 000013
【図１２】
2008191704.tif 000014
【図１３】
2008191704.tif 000015
【図１４】
2008191704.tif 000016
【図１５】
2008191704.tif 000017
【図１６】
2008191704.tif 000018
【図１７】
2008191704.tif 000019
【図１８】
2008191704.tif 000020